(57)【要約】【課題】感光体ドラムの組み付け作業も、メンテナンス作業も簡略化できる画像形成装置を提供する。【解決手段】感光体ドラム７の内側に電気ヒータ２１を設けてある画像形成装置であって、感光体ドラムのドラム軸２２を中空軸で構成し、電気ヒータを、ドラム軸の中空部を通して装置本体側に支持して、ドラム軸に対して相対回転自在に設けてあるとともに、装置本体側の電源部から通電自在に接続してある。【選択図】図２
2008164734.tif 000002
【特許請求の範囲】
【請求項１】
感光体ドラムの内側に電気ヒータを設けてある画像形成装置であって、
前記感光体ドラムのドラム軸を中空軸で構成し、
前記電気ヒータを、前記ドラム軸の中空部を通して装置本体側に支持して、前記ドラム軸に対して相対回転自在に設けてあるとともに、装置本体側の電源部から通電自在に接続してある画像形成装置。
【発明の詳細な説明】
【技術分野】
【０００１】
本発明は、感光体ドラムの内側に電気ヒータを設けてある画像形成装置に関する。
【背景技術】
【０００２】
電子写真式画像形成装置においては、感光体ドラムの感光体表面の均一な帯電を図る為に一般にコロナ放電を利用しており、コロナ放電により生成するオゾンやその放電生成物である窒素酸化物やアンモニウム塩が感光体表面に吸着して画像流れが生じ易くなる。
特に、無公害、高光感度、硬質であって耐久性及び画質の良好さにおいて優れたアモルファスシリコン（ａ−Ｓｉ）系の感光体が着目されているが、かかる感光体は長期間使用により吸湿劣化が生じて、画像流れが一層生じ易い問題がある。
上記画像形成装置は、このような問題を解決するために、感光体ドラムの内側に電気ヒータを設けて、その電気ヒータによって感光体ドラムを加熱して、感光体の吸湿劣化を防止している。
従来の上記画像形成装置では、電気ヒータを感光体ドラムの内側にその感光体ドラムと一体に設けてあり、感光体ドラムと共に一体に回転する電気ヒータ側に装置本体側から通電できるようにするために、電気ヒータに電気的に接続してある二本のリングをドラム軸の外周側に一体に装着するとともに、装置本体側の電源部に電気的に接続してある二つのブラシ電極をドラム軸の支持部側に設けて、二本のリングの夫々をブラシ電極に接触させながら感光体ドラムを回転させることにより、感光体ドラムが回転していないときでも、感光体ドラムが回転しているときでも、装置本体側から電気ヒータ側に通電できるように構成してある（例えば、特許文献１参照）。
【０００３】
【特許文献１】特開２００４−１８４５２９号公報
【発明の開示】
【発明が解決しようとする課題】
【０００４】
この為、電気ヒータ側と装置本体側の電源部との電気的な接続構造が複雑で、感光体ドラムの組み付け作業が煩雑化する欠点がある。
また、二本のリングの夫々をブラシ電極に接触させながら感光体ドラムを回転させるので、リングやブラシ電極が摩耗し易いとともに、リングとブラシ電極との接点不良によるノイズが発生し易く、メンテナンス作業も煩雑化する欠点がある。
本発明は上記実情に鑑みてなされたものであって、感光体ドラムの組み付け作業も、メンテナンス作業も簡略化できる画像形成装置を提供することを目的とする。
【課題を解決するための手段】
【０００５】
本発明の第１特徴構成は、感光体ドラムの内側に電気ヒータを設けてある画像形成装置であって、前記感光体ドラムのドラム軸を中空軸で構成し、前記電気ヒータを、前記ドラム軸の中空部を通して装置本体側に支持して、前記ドラム軸に対して相対回転自在に設けてあるとともに、装置本体側の電源部から通電自在に接続してある点にある。
【０００６】
〔作用及び効果〕
感光体ドラムのドラム軸を中空軸で構成し、感光体ドラムの内側に設けてある電気ヒータを、ドラム軸の中空部を通して装置本体側に支持して、ドラム軸に対して相対回転自在に設けてあるとともに、装置本体側の電源部から通電自在に接続してあるので、
従来のように、ドラム軸の外周側に一体に装着した二本のリングの夫々をブラシ電極に接触させながら感光体ドラムを回転させることなく、つまり、電気ヒータを感光体ドラムと共に一体に回転させることなく、ドラム軸の中空部を通して装置本体側に支持して、装置本体側の電源部から電気ヒータ側に安定して通電させることができる。
従って、電気ヒータ側と装置本体側の電源部との電気的な接続構造を簡略化して、感光体ドラムの組み付け作業を簡略化できると共に、接続部の摩耗や、接点不良によるノイズ発生のおそれもなく、メンテナンス作業も簡略化できる。
【発明を実施するための最良の形態】
【０００７】
以下に本発明の実施の形態を図面に基づいて説明する。
図１は、本発明による画像形成装置の一例としての電子写真式複写機Ａを示し、記録紙Ｐに画像を形成する画像形成部１や、その画像形成部１に給紙するための記録紙Ｐを収納する給紙部２，原稿を読み取るための光学部３，トナー像を定着させた後の記録紙Ｐを排紙トレイ６に排出したり、両面部５に送り出す排出・反転部４などを備えている。
【０００８】
前記画像形成部１は、感光体ドラム７の周りに、主帯電部８や現像部９，転写・分離部１０，クリーニング・除電部１１などを配設するとともに、加熱ローラ１８と加圧ローラ１９とを備えた定着部１２を設けて、光学部３で読み取った画像情報に基づいて感光体ドラム７の感光体表面に静電潜像を形成し、その静電潜像を現像したトナー像を給紙部２から給紙された記録紙Ｐに転写して、トナー像を定着部１２で定着させた後の記録紙Ｐを排出・反転部４に送り出すように構成してある。
【０００９】
前記給紙部２は、装置本体の横外側方にスライド移動自在に支持してある上下三つ給紙トレイ１３と、装置本体の横外側方に突出する姿勢と装置本体側に格納した姿勢とに上下揺動自在に支持してある手差しトレイ１４とを備え、各トレイ１３，１４は繰り出し用ローラ１５の駆動回転で記録紙Ｐを画像形成部１に向けて繰り出せるように構成してある。
【００１０】
前記給紙トレイ１３は、上下に重ねて収納してある複数枚の記録紙Ｐを、その給紙方向下手側部分が繰り出し用ローラ１５に接触するようにコイルバネ１６で弾性付勢する付勢板１７を設けて、繰り出し用ローラ１５の駆動回転で記録紙Ｐを上から順に画像形成部１に向けて繰り出せるように構成してある。
【００１１】
前記定着部１２は、トナー像を転写してある記録紙Ｐを加熱ローラ１８と加圧ローラ１９とのニップ部で挟持して、記録紙Ｐに転写してあるトナー像を加熱溶融させて定着させた後、その記録紙Ｐを排出・反転部４に向けて上向きに送り出すように構成してある。
【００１２】
前記感光体ドラム７は、図２に示すように、両端部に環状フランジ部材２０を同芯状に固定した円筒状に形成して、後述するように、電気ヒータ２１をその内側に設けてあり、感光体ドラム７と一体に回転するドラム軸２２を左右の環状フランジ部材２０から突出させて、図３に示すように、その両突出端部２５ａ，２５ｂを感光体ドラムユニット２３のハウジング２４に回転自在に支持してある。
【００１３】
前記ドラム軸２２は、感光体ドラム７の内側を同芯状に貫通する中空軸で構成して、その両端部を環状フランジ部材２０に一体に固定してあり、感光体ドラムユニット２３を装置本体に組み込んだ状態で、一方の突出端部２５ａを、歯車列やベルトプーリなどを備えた動力伝達系を介して、図示しない電動モータなどの駆動装置で駆動回転できるように構成してある。
【００１４】
前記電気ヒータ２１は、接続端子部２６を一端側に備えた片端子型のシーズヒータで構成してあり、ドラム軸２２の中空部２７を通して装置本体側に支持して、ドラム軸２２に対して相対回転自在に設けてあるとともに、装置本体側の電源部（図示せず）から通電自在に接続してある
【００１５】
つまり、図４に示すように、ドラム軸２２の中空部２７にシーズヒータ２１を同芯状に収容して、その一端側をドラム軸２２の内側に相対回転自在に支持すると共に、ドラム軸２２の他方の突出端部２５ｂから外方に突出させた接続端子部２１を装置本体側に固定して、装置本体側の電源部から通電自在に接続してある。
【００１６】
〔その他の実施形態〕
１．本発明による画像形成装置は、電気ヒータを、接続端子部を両端部に備えた両端子型のシーズヒータで構成して、それら接続端子部の夫々をドラム軸の中空部を通して装置本体側に固定して、装置本体側の電源部（図示せず）から通電自在に接続してあっても良い。
２．本発明による画像形成装置は、電気ヒータを、ドラム軸の中空部を通して感光体ドラムユニットのハウジングに支持してあっても良い。
３．本発明による画像形成装置は、感光体ドラムの両端部にドラム軸を間隔を隔てて同芯状に各別に備えている場合は、それらのドラム軸の一方又は双方を中空軸で構成し、電気ヒータを、ドラム軸の中空部を通して装置本体側に支持して、双方のドラム軸に対して相対回転自在に設けてあるとともに、装置本体側の電源部から通電自在に接続してあっても良い。
４．本発明による画像形成装置は、複写機の他、レーザープリンタ，ファクシミリなどの電子写真式画像形成装置であっても良い。
【図面の簡単な説明】
【００１７】
【図１】画像形成装置の内部を示す概略側面図
【図２】感光体ドラムの斜視図
【図３】感光体ドラムユニットの斜視図
【図４】要部の横断面図
【符号の説明】
【００１８】
７  感光体ドラム
２１  電気ヒータ
２２  ドラム軸
２７  中空部
【図１】
2008164734.tif 000003
【図２】
2008164734.tif 000004
【図３】
2008164734.tif 000005
【図４】
2008164734.tif 000006